(57)【要約】【課題】天井に取り付けた照明器具の光を垂直壁面に対し比較的高い位置から幅方向に拡げて照射する。【解決手段】光源６からの光の入射側となる光入射面１１に，断面切欠円弧状の凹部形状を有する列条溝１２を多数平行に形成すると共に，前記列条溝１２の光入射面１１とは反対側の光出射面２１に，所定の曲率半径で膨出する断面切欠円弧状の多数の突起２２を形成し，前記列条溝１２の長手方向の断面における前記突起２２の曲率半径Ｒ2に対し，前記列条溝１２の長手方向と直交方向の断面における前記突起２２の曲率半径Ｒ1を大きく形成する。  このレンズ１０に対して光を所定の向きで傾斜して入射すると，入射された光は凹レンズとして機能する前記列条溝１２の幅方向に拡散され，その後，凸レンズとして機能する突起２２を通過する際に収束された後，更に拡散されて，垂直壁面の上方より幅方向に拡がって垂直壁面の全体に照射される。【選択図】図１
2008098068.tif 000002
【特許請求の範囲】
【請求項１】
照明器具に取り付けて使用するレンズにおいて，
光源からの光の入射側となる光入射面に，断面切欠円弧状の凹状溝を多数平行に形成した列条溝を配置すると共に，前記列条溝の形成面とは反対側の光出射面に，所定の曲率半径を成す断面切欠円弧状の多数の突起を膨出形成し，
前記列条溝の長手方向の断面における前記突起の曲率半径に対し，前記列条溝の長手方向と直交方向の断面における前記突起の曲率半径を大きく形成したことを特徴とする照明器具用レンズ。
【請求項２】
前記列条溝は，幅方向断面を同一曲率半径から成る長手方向に所定長さに連続する溝として形成され，前記突起は，前記光出射面側を底面とした上面が蒲鉾状に形成された突起単体を長辺及び短辺をそれぞれ隣接して，前記列条溝の長手方向と直交方向に長辺を配置形成されている請求項１記載の照明器具用レンズ。 
【請求項３】
前記各列条溝の同一側の一端を，いずれもレンズの周縁に対して内周寄りに後退させた位置に形成すると共に，前記光源からの光の入射側となる光入射面において，前記各列条溝の一端と前記レンズの周縁間に，表面が平坦に形成された平坦部を設けたことを特徴とする請求項２記載の照明器具用レンズ。
【請求項４】
前記列条溝の長手方向に対して直交する底辺を有する略逆台形の頂辺と斜辺内に前記各列条溝の一端を配列して，各列条溝の一端とレンズの縁部で画定される前記レンズの光入射面に，前記列条溝底部と同一平面の前記平坦部を形成したことを特徴とする請求項３記載の照明器具用レンズ。
【請求項５】
カップ状に形成された反射体と，前記反射体の凹面側に光源の発光部が配置されるように前記光源を取り付けるソケットと，前記反射体によって反射された光の照射方向前方に配置されたレンズ取付台を備え，
前記レンズ取付台に，請求項１〜４いずれか１項記載の前記レンズを，前記列条溝の形成面が光源側となるように取り付けると共に，
前記反射体によって反射された光が，前記レンズに形成した前記列条溝の長手方向で，かつ，前記レンズに対して鋭角に入射する位置に，前記レンズ取付台と前記ソケット及び反射体を設けたことを特徴とする照明器具。
【請求項６】
前記レンズ取付台に取り付けたレンズが，入射側の光入射面に前記平坦部を備えた請求項３又は４記載のレンズであり，
前記反射体によって反射された光を，前記列条溝の長手方向において前記平坦部の形成側とは反対側から，前記平坦部の形成側に向かって傾斜して入射する位置に前記レンズ取付台，ソケット及び反射体を設けたことを特徴とする照明器具。
【発明の詳細な説明】
【技術分野】
【０００１】
本発明は照明器具用レンズ及びこのレンズを備えた照明器具に関し，より詳しくは，壁面全体を均一に照射する事を目的として壁方向のみ強く配光されるように，反射板が設計されている，いわゆるウォールウォッシャータイプの照明器具に関し，さらに，より詳細には，例えば，ダウンライトなどの照明器具に組み付けて使用することで，通常，照明器具の外観に影響する反射板の設計を行うことなく，照明器具に前記壁面全体を均一に照射する優れたウォールウォッシャー効果を付与することのできる照明器具用レンズ，及び前記レンズを備えたウォールウォッシャータイプの照明器具に関する。
【背景技術】
【０００２】
照明器具，例えば，天井や庇等に取り付けられるダウンライトは，一般に下方に光を照射して，ダウンライト下方の明るさを得るものとして使用されている。
【０００３】
しかし，美術館や学校，一般家屋などで，垂直方向の壁面（若干の傾斜角度や凹凸のある壁面を含む）に掛けられた絵画等の展示物に対する照明を，天井埋込型のダウンライトによって行う場合もあり，ダウンライトの光を垂直壁面に照射することが必要となる場合がある。
【０００４】
また，同じダウンライトによって照明を行う場合であっても，ダウンライトの光を床面に対してのみ照射する場合に比較して，垂直壁面に対しても照射することで，このようにして照明が行われた空間ではより一層の明るさが感じられるようになることが知られており，明るい空間を演出するために垂直壁面に光を照射することができるようにダウンライトを設置する場合もある。
【０００５】
このように，ダウンライトによって垂直壁面に対して光の照射が必要となる場合，一例として以下の方法によって光の照射が行われている。
【０００６】
ダウンライト１によって垂直壁面に対して光を照射する最も簡単な方法としては，ダウンライト１を天井の垂直壁面寄りの位置に取り付ける方法がある（図１４参照）。
【０００７】
すなわち，ダウンライト１より照射された光は，ダウンライト１から遠ざかるに従って円錐状に拡散するために，このように垂直壁面に近付けてダウンライト１を取り付けることで，通常のダウンライトを使用する場合であっても拡散したダウンライト１の光が一部，垂直壁面にも照射されるようになる〔図１４（Ａ），（Ｂ）参照〕。
【０００８】
また，垂直壁面に対する光の照射を行うための特別な構造を備えたダウンライトも提案されており，一例として，照射角度を可変として斜め方向に光を放出することができるように構成したダウンライト等も提案されている。
【０００９】
また，カップ状に形成された反射体内に光源からの光を垂直壁面側に反射させる補助反射板７ａを設け，この補助反射板７ａによって反射された反射光によって壁面を照らし出すように構成したウォールウォッシャー型のダウンライトも提案されている〔特許文献１，２：図１５（Ａ），（Ｂ）参照〕。
【００１０】
この発明の先行技術文献情報としては次のものがある。
【特許文献１】特開平８−７６２９号公報
【特許文献２】特開２００２−３２４４１９号公報
【発明の開示】
【発明が解決しようとする課題】
【００１１】
以上説明したように，単に垂直壁面に対して照射光の一部を照射するだけであれば，通常のダウンライトを天井の垂直壁面寄りの位置に取り付けることによってもこの目的は達成することができる。
【００１２】
しかし，この方法による光の照射は，ダウンライト１より照射された光がダウンライト１より遠ざかるに従って拡散し，やがて垂直壁面に到達することによって行うものであり（図１４（Ａ）参照），そのため，垂直壁面の上方に対して光を照射することが難しく，また，垂直壁面の上方に光を照射しようとすれば，ダウンライト１を垂直壁面に極めて近接した位置に配置することが必要となり，垂直壁面から離れた，例えば部屋の中央部には光が届かなくなる。
【００１３】
また，この種のダウンライトによる照射範囲は，ダウンライトを頂点とした略円錐状を成すために，壁面に対する光の投影形状は，図１４（Ｂ）中に斜線で示すように上方で狭く，下方において徐々に幅を拡げる放物線形状となる。その結果，壁面全体を比較的広い範囲で均一に照らし出すことが難しい。
【００１４】
これに対し，前述した補助反射板７ａを備えたウォールウォッシャー型のダウンライトにあっては，補助反射板７ａによって反射された光によって垂直壁面を照射することにより，この補助反射板７ａによる反射方向を調整することで，壁面の比較的高い位置（天井寄りの位置）に対しても光を照射することが可能となる。
【００１５】
しかし，このような補助反射板７ａによって照射光の一部を壁面に向けて反射させたとしても，図１５（Ｂ）に示すように，図１４を参照して説明した一般的なダウンライトによる投影形状に対し，補助反射板７ａを設けた分，垂直壁面の上方及び幅方向における明るさが改善されたとしても，依然として光の照射範囲が狭く，垂直壁面全体を均一に照らし出すことができるものとはなっていない。
【００１６】
その結果，このような照明器具によって照明が行われる空間が暗く感じられたり，また，このような照明器具を壁面に掛けた比較的大型の絵画等の照明として使用する場合には，一台の照明器具で展示物の全体を照らし出すことができず，これらの問題を解消しようとすれば照明器具の取り付け個数を増やす必要がある。
【００１７】
しかし，複数のダウンライトを設置して各ダウンライトによって壁面に対する照射範囲を分担させたとしても，前述のように各ダウンライトから照射される光は，垂直壁面の上方において幅狭で，下方に向かって幅を拡げる形状であるために，壁面の上方において光の照射されない部分が生じたり，また，複数の照明器具より照射された光が重なる部分と，単一の照明器具からの光で照らされている部分とで明るさにムラが生じるという問題がある〔図１５（Ｂ）参照〕。
【００１８】
また，照明器具の取付個数を増やせば，これに伴う設置工事，電気配線工事が増加して施工費用の負担が増加すると共に，設置する照明器具が増えれば，設置後の電気消費量も増大するので光熱費の負担も増す。
【００１９】
そこで本発明は，上記従来技術における欠点を解消するためになされたもので，天井等に取り付けた単一のダウンライト等の照明器具による照射光を，垂直壁面の比較的高い位置から幅方向に拡げて照射することができる照明器具用のレンズ，及び前記レンズを備えた照明器具を提供することを目的とする。
【課題を解決するための手段】
【００２０】
上記目的を達成するために，本発明の照明器具用レンズ１０は，照明器具に取り付けて使用するレンズにおいて，光源６からの光の入射側となる光入射面１１に，断面切欠円弧状の凹部形状を有する列条溝１２を多数平行に形成すると共に，前記列条溝１２の光入射面１１とは反対側の光出射面２１に，所定の曲率半径で膨出する断面切欠円弧状の多数の突起２２を形成し，
前記列条溝１２の長手方向の断面における前記突起２２の曲率半径Ｒ2に対し，前記列条溝１２の長手方向と直交方向の断面における前記突起２２の曲率半径Ｒ1を大きく形成したことを特徴とする（請求項１）。
【００２１】
前記列条溝１２は，幅方向断面を同一曲率半径から成る長手方向に所定長さに連続する溝として形成され，前記突起は，前記光出射面側を底面とした上面が蒲鉾状に形成された平面長方形の突起単体を長辺及び短辺をそれぞれ隣接して，前記列条溝の長手方向と直交方向に長辺を配置形成することができる（請求項２）。
【００２２】
前記構成の照明器具用レンズ１０において，前記各列条溝１２の同一側の一端１２ａを，いずれもレンズ１０の周縁１３に対して内周寄りに後退させた位置に形成すると共に，前記光源６からの光の入射側となる光入射面１１において，前記各列条溝１２の一端１２ａと前記レンズ１０の周縁１３間に，表面が平坦に形成された平坦部１５を設けることもできる（請求項３）。
【００２３】
具体的には，前記列条溝１２の長手方向に対して直交する底辺Ｔｂを有する略台形（略逆台形）Ｔの頂辺Ｔｔと斜辺Ｔｏ内に前記列条溝１２の一端１２ａを配列して，列条溝１２の一端１２ａとレンズ１０の縁部１３内周間に，列条溝１２の底部と同一の高さに形成された平坦部１５を配置している（請求項４）。
【００２４】
また，ウォールウォッシャータイプの例えば，天井埋込型のダウンライトなどの本発明の照明器具１（図１３参照）は，
カップ状に形成された反射体７と，前記反射体７の反射面たる凹面側に光源６の発光部が配置されるように前記光源６を取り付けるソケット８と，前記反射体７によって反射された光の照射方向前方に配置されたレンズ取付台４を備え，
前記レンズ取付台４に，前述した本発明のレンズ１０を，前記列条溝１２の形成光入射面１１が光源６側となるように取り付けると共に，
前記反射体７によって反射された光が，前記レンズ１０に形成した前記列条溝１２の長手方向で，かつ，前記レンズ１０に対して鋭角に入射する位置に，前記レンズ取付台４と前記ソケット８及び反射体７を設けたことを特徴とする（請求項５）。
【００２５】
前記構成の照明器具１において，前記レンズ取付台４に取り付けたレンズ１０が，前述した本願発明のレンズのうち入射側の光入射面１１に前記平坦部１５を備えたレンズ１０であり，
前記反射体７で反射された光を，前記列条溝１２の長手方向において前記平坦部１５の形成側とは反対側から，前記平坦部１５の形成側に向かって入射する位置に前記レンズ取付台４，ソケット８及び反射体７を設けることもできる（請求項６）。
【発明の効果】
【００２６】
以上説明した本発明の構成から，本発明の照明器具用レンズ１０によれば，このレンズ１０に対して所定の向きに光を入射すると，入射された光を所望の状態に拡散させることができた。
【００２７】
その結果，天井に取り付けられた光源の光を拡散させて，この照明器具を取り付けた天井近くの垂直壁面に対し，好適に光を照射することができた。
【００２８】
しかも，このレンズ１０によって拡散された光による照射範囲は，垂直壁面の上方（天井寄り）においても幅方向に拡がりを持つことから，１台の照明器具によって垂直方向壁面の比較的広範囲を照らすことができ，照明を行う空間の明るさの感じ方を大幅に改善することができると共に，比較的大型の絵画等の展示物に対しても単一の照明器具による照明を行うことが可能であった。
【００２９】
その結果，複数の照明器具を使用することにより生じる明るさのムラを防止でき，また，使用する照明器具数の減少によるコスト減と，光熱費の減少を達成することができた。
【００３０】
レンズ１０の光源側に配置される光入射面１１に列条溝１２が形成されていない平坦部１５を設けた本発明のレンズ１０にあっては，この平坦部１５を透過する光は，凹レンズとして作用する列条溝１２による拡散を受けることなく，凸レンズとして機能する，裏面の突起２２による作用のみを受け，照明器具１の下方に対しても光の照射を行うことができた。
【発明を実施するための最良の形態】
【００３１】
次に，本発明の実施形態を添付図面を参照しながら以下に説明する。
【００３２】
〔レンズの構造〕
全体構造
本発明の照明器具用レンズ１０は，照明器具に取り付ける等して，該照明器具に設けた電球，蛍光ランプ，発光ダイオード等の光源６からの光を透過する際に，この光を所望の方向に屈折させ，照明を行う壁面に対して広範囲に光を照射可能とするもので，このような広範囲な光の照射を可能とするために，該レンズ１０に対して光の入射を行う側の面（光源側に配置される面）１１に，ここでは，一定方向にのみ光を屈折させる効果のある(シリンドリカル)凹レンズとなる断面切欠円弧状，例えば，略半円弧状の列条溝１２を，長手方向の円弧端縁を隣接する列条溝の前記端縁に連続して，多数平行に形成すると共に，この光源側の光入射面１１とは反対側の光出射面２１に，凸レンズと成る突起２２を所定の方向に多数配列した構成としている。
【００３３】
なお，図示の実施形態にあっては，本発明のレンズ１０を直径約９０mm，最大厚み約１０mmの円盤状のものとしているが，本発明のレンズ１０の形状はこの形状に限定されず，三角形，四角形，その他の多角形であっても良く，またはその他の幾何学形状であっても良く，例えば組み合わせて使用する照明器具の形状に対応させて各種の形状に変更することが可能である。
【００３４】
なお，図１及び図２において，レンズ１０の周縁二箇所に形成された切欠２９は，後述するダウンライト１等の照明器具にこのレンズ１０を取り付ける際に係止部材により係止される部分であり，本実施形態にあっては深さ１．５mm，幅５mmの２つの切欠２９を対称位置に形成している。
【００３５】
入射側（光源側）
本発明のレンズ１０において，使用時，光源側に配置される光入射面１１には，図３及び図５（Ａ）に示すように略半割り円筒状を成す列条溝１２が，長手方向で平行となるように一定間隔で多数形成されており，これにより前記列条溝１２の長手方向と直交方向におけるレンズ１０の断面（図３参照）が，鋸歯形状となっている。
【００３６】
図示の実施形態では，前記レンズ１０の光源側の光入射面１１における周縁に，約４．５mm幅，高さ約３mmの凸条として形成された縁部１３を設け，その内周に凹部内面の曲率半径を２mmとする幅約４mm，深さ約２mmの列条溝１２を，列条溝１２の中心間ピッチを４．５mmとして多数平行に形成し，前記列条溝１２間に形成された凸条１４先端を０．４〜０．５mmの曲率半径で湾曲させた形状とした。
【００３７】
なお，この列条溝１２はレンズ１０の光源側の光入射面１１における全面に形成するものとしても良いが，本実施形態にあっては前記列条溝１２の全長をレンズ１０の全長に対して若干短く形成し，光源側のレンズ入射面１１に，一部この列条溝１２が形成されていない平坦部１５を設けている。
【００３８】
図１に示す実施形態にあっては，前記列条溝１２の長手方向に対して直交する底辺Ｔｂを有する略台形（略逆台形）Ｔの頂辺Ｔｔと斜辺Ｔｏ内に前記列条溝１２の一端１２ａ〔図５（Ａ）参照〕を配列して，列条溝１２の一端１２ａとレンズ１０の縁部１３内周間に，列条溝１２の底部と同一の高さに形成された平坦部１５を設けた。
【００３９】
なお，前述の列条溝１２の幅方向の両側に形成された凸条１４は，この平坦部１５に向かって図４及び図５（Ａ）に示すように所定の傾斜角θ1で傾斜させており，本実施形態においてこの傾斜角θ1を約１０°としている。
【００４０】
また，この平坦部１５側とは反対側における凸条１４の端部は，光入射面１１の周縁に形成された縁部１３と突合させて形成している。
【００４１】
なお，図示の例ではレンズ１０の光入射面１１側の縁部１３を突出させた構成としたが，図３及び図４中に変更例として示したように，レンズ１０の光出射面２１側に縁部２３を形成し，これを突出させても良く，この場合には，前記平坦部１５側とは反対側における凸条１４の端部を，レンズ１０の垂線に対して所定の傾斜角θ2で傾斜させても良い。図示の例にあってはこの傾斜角θ2を約２０°としている。
【００４２】
このようにしてレンズ１０の光入射面１１に形成された列条溝１２は，凹レンズとして機能し，入射光を列条溝１２の幅方向に拡散する。
【００４３】
出射側（照明対象物側）
このように，多数の列条溝１２が形成された光入射面１１とは反対側におけるレンズ１０の光出射面２１，すなわちレンズ１０を透過した光が出射される側の光出射面２１には，多数の突起２２が所定の配列状態に形成されており，これらの各突起２２が凸レンズとして機能することで，該レンズ１０に対する入射光を所望の状態に拡散させることができるようになっている。
【００４４】
この突起２２のそれぞれは，図２に示すようにレンズ１０の底面視において長方形として現れ，この長方形の長辺をレンズ１０の光入射面１１に形成した列条溝１２の長手方向と直交方向に配置すると共に，この突起２２の突出側の表面を所定の曲率で切欠円弧状に膨出させることにより凸レンズとして機能するように構成されている。
【００４５】
この膨出形状は，図３及び図６（Ａ）に示す断面方向における曲率半径Ｒ1と，図４及び図６（Ｂ）に示す断面方向における曲率半径Ｒ2とが「Ｒ1＞Ｒ2」となるように形成し，各突起２２の長手方向と幅方向とで，焦点距離Ｆ1，Ｆ2に違いが生じるように形成した（図６参照）。
【００４６】
一例として本実施形態にあってはレンズ１０の光出射面２１側における周縁に至る全面に図５（Ｂ）に示すような略蒲鉾状の突起２２を整列形成しているが（図２参照），図３及び図４中に変更例として示すように，レンズ１０の周縁に，光入射面１１側に突出する約４．５mmの縁部２３を形成した場合には，その内部に，同様に図５（Ｂ）に示すような略蒲鉾形の突起２２を整列状態で形成する。
【００４７】
そして，各突起２２を底面視した際に現れる前記長方形（図２参照）を，長辺１０mm，短辺４．５mmに形成し，前述の曲率半径Ｒ1を９mm，曲率半径Ｒ2を４mmとした。
【００４８】
このように形成したことにより，各突起２２に対して垂直に入射した光は，図６（Ａ），（Ｂ）に示すように，各突起２２の幅広側では焦点Ｆ1において収束し，幅狭側では焦点Ｆ2において収束し，その後，前記焦点Ｆ1，Ｆ2から離れるに従って拡張する。
【００４９】
従って，前述のように曲率半径Ｒ1，Ｒ2を，「Ｒ1＞Ｒ2」となるように形成したことにより，突起２２に入射した光は，底面視において現れる前記長方形の長辺と直交方向で比較的大きく，短辺と直交方向で比較的小さく拡散され，図６（Ｃ）中に斜線で示すように拡散される。
【００５０】
〔本発明のレンズによる投影面〕
以上のように形成された本発明のレンズ１０において，レンズ１０に対して垂直方向に入射された光の，列条溝１２の集合による拡散状態は図８中縦方向に拡がる投影面として表してあり，また，これとは反対側の光出射面２１に形成された突起２２の集合による拡散状態は図８中に横方向に拡がる投影面として示した通りである。
【００５１】
なお，光源からの光は，レンズ１０の光源側の光入射面１１に形成された列条溝１２を通過して拡散された後，反対側の光出射面２１に形成された突起２２を通過して収束，その後拡散されて投影されることから，レンズ１０を通過した光の投影面は，実際には図８に示すように列条溝１２による投影範囲と，突起２２による投影範囲とで明確に区別可能な状態として現れるものではないが，光源からの光は，本発明のレンズ１０を透過することにより前述したように主として二方向への拡散を受ける。
【００５２】
以上の説明では，本発明のレンズ１０の中心Ｏに，該レンズ１０に垂直方向で光を入射した場合であって，かつ，該レンズ１０と平行を成す面に対して投影したものとして説明したが，本発明の照明器具用レンズ１０は，このようにレンズ１０に対して垂直方向に光を入射して使用するものではなく，列条溝１２の長手方向に光源６の位置を移動させて，光を傾斜した状態で入射して使用する。
【００５３】
このように，レンズ１０の中心Ｏに対し，列条溝１２の長手方向に光源６の位置を移動させると，このレンズ１０を通過した光は，レンズ１０からの距離が遠くなるに従い拡散の度合いが増し，光の投影形状はレンズからの距離が遠くなる部分が膨張して，図９（Ｂ）に示すように扁形する。
【００５４】
レンズ１０に対して直交方向に配置された壁面に対して前記レンズ１０を透過した光を投影する場合も同様で，レンズ１０からの距離が遠い壁面の下方において投影形状が拡大する一方，レンズ１０からの距離が比較的近い壁面の天井寄りの位置では形成される像が若干小さくなるものの，図１０（Ａ），（Ｂ）に示すように，列条溝１２により光源からの光が幅方向に拡散されると共に，このようにして拡散された光が突起２２によって縦長に拡散されて，壁面の比較的上寄りの部分から幅方向に拡がった形状で壁面を照らし出すことができ，これにより壁面の比較的広い範囲を投影することができる（図１１参照）。
【００５５】
図１２は，上記照射範囲における本発明レンズの列条溝１２及び突起２２および平坦部１５の光照射分布を模式的に示すもので，照射分布が壁面から床面の一部にまでおよび，図１１に示す照射範囲が達成されることが判る。
【００５６】
〔使用例〕
以上のように構成された本発明のレンズ１０は，これを照明器具に取り付けて使用することで，前述のような拡散光を得ることができる。
【００５７】
一例として，本発明の照明器具用レンズ１０を組み付けた照明器具，以下，ダウンライトを例として説明する。
【００５８】
本発明のレンズ１０と組み合わせて使用するダウンライトは，レンズ１０に対して傾斜した入射角で光を照射することができる構造を備えたものであることが必要で，本実施形態ではこのようなダウンライト１として，図１３に示すように，レンズ１０に対する光源６からの光の照射角度が可変であるダウンライト１を使用した。
【００５９】
このダウンライト１は，ダウンライト本体３と，このダウンライト本体３による光の照射方向前方に配置された円筒状のレンズ取付台４（コーン）を備え，天井に形成された開口内に取り付けた取付枠（図示せず）内にこのコーン４を挿入すると共に固定して，天井に対して取り付け可能に構成されている。
【００６０】
前述のダウンライト本体３は，光源６である電球が発した光を所定の方向に反射するカップ状の反射体７と，この反射体７の凹面側に前記光源６の発光部が配置されるように光源６である電球を取り付けるソケット８と，前記反射体７とソケット８とを前述した位置関係となるように取り付けるフレーム９により構成されており，光源６である電球が発した光が，反射体７の凹面によって反射されて該反射体７の凹面前方に照射可能に構成されている。
【００６１】
そして，天井裏側に突出したコーン４の上端に，連結部材である可動アーム５の一端を連結すると共に，この可動アーム５の他端を前述のダウンライト本体３のフレーム９に連結することで，ダウンライト本体３が照射した光のレンズ１０に対する入射角が可変となるように構成されている。
【００６２】
そして，前述のコーン４内に形成されたレンズ取付部（図示せず）に前述した本発明のレンズ１０を取り付けることによりコーン４に取り付けたレンズ１０に対してダウンライト本体３からの照射光を，レンズ１０の垂線に対して所定の角度θで傾斜させて入射することができるように構成している。
【００６３】
このレンズ取付部には，前述したレンズ１０の周縁に形成した切欠２９の形成位置に対応して，この切欠２９と嵌合する，例えば板バネ等の係止片（図示せず）が設けられており，レンズ１０に設けた切欠２９にこの係止片が嵌合して，レンズ取付部に対してレンズ１０を所定の向きで取り付けることができるように構成されている。
【００６４】
このレンズ１０の取り付け向きは，ダウンライト本体３による光の照射方向とレンズ１０に形成された列条溝１２の長手方向が一致するように取り付け，レンズ１０が図１に示すように平坦部１５を備える場合には，この平坦部１５が，ダウンライト本体３による光の照射方向前方側になるように取り付ける。
【００６５】
一例として本実施形態において，レンズ１０に対する入射角の傾きθは３０°であり，天井におけるダウンライト１の取付位置を，垂直壁面からダウンライト１のコーン４周縁の距離が６００〜９００mmとなるようにして前記ダウンライトを取り付けることで，天井高２４００〜２６００mmの室内を照明した際，壁面の高さ方向の略全体を，比較的広い照射幅で照射することができ，しかも照射光は垂直壁の上方より幅方向に拡がるものであった。
【００６６】
上述したところでは，ダウンライトを例としてあげているが，本発明照明器具がこれら建築化照明に限定されないことはいうまでもなく，配線ダクトあるいはブラケットを用いる照明器具あるいは，床面からの照明あるいは玄関などの屋外照明にも用いることが出来る。
【００６７】
また，前記レンズ１０の形状，その他の構成は，一例として図３及び図４を参照して説明した周縁部の構造のみならず，本発明の目的に反しない範囲で各種の変更が可能である。
【図面の簡単な説明】
【００６８】
【図１】本発明の照明器具用レンズの平面図。
【図２】本発明の照明器具用レンズの底面部。
【図３】図１のIII−III線断面図。
【図４】図１のIV−IV線断面図。
【図５】同図（Ａ）は，図４において破線で囲ったＶ部分の概略斜視図。同図（Ｂ）は，本発明レンズの光出射面の突起デザイン検討に用いた三次元模式図。
【図６】レンズに形成した突起の説明図であり，（Ａ）は突起の幅広側における焦点距離の説明図，（Ｂ）は突起の幅狭側における焦点距離の説明図，（Ｃ）は，突起により拡散された光の投影図。
【図７】レンズに形成した溝の説明図であり，（Ａ），（Ｂ）は溝に入射した光の拡散状態の説明図，（Ｃ）は溝により拡散された光の投影図。
【図８】本発明のレンズにおける光の拡散状態の説明図（垂直入射）。
【図９】本発明のレンズにおける光の拡散状態の説明図であり（傾斜入射：レンズと平行面に投影），（Ａ）は水平方向に見た状態，（Ｂ）は，レンズ上方より見た状態（Ｂ矢視方向）。
【図１０】本発明のレンズにおける光の拡散状態の説明図であり（傾斜入射：レンズと直交面に投影），（Ａ）は水平方向に見た状態，（Ｂ）は（Ａ）をＢ矢視方向より見た状態。
【図１１】本発明のレンズに対し光を傾斜して入射した場合におけるレンズと直交面に対する光の投影図。
【図１２】本発明レンズの列条溝及び突起および平坦部の光照射分布を示す模式的概略図。
【図１３】本発明の照明器具の概略説明図。
【図１４】従来のダウンライトにより垂直壁に対して光を投射した状態の説明図で，（Ａ）は垂直壁を幅方向に見た図，（Ｂ）は（Ａ）をＢ矢視方向より見た図。
【図１５】従来の補助反射板付きのダウンライトにより垂直壁に対して光を投射した状態の説明図で，（Ａ）は垂直壁を幅方向に見た図，（Ｂ）は（Ａ）をＢ矢視方向より見た図。
【符号の説明】
【００６９】
１  ダウンライト
３  ダウンライト本体
４  レンズ取付台（コーン）
５  可動アーム（連結部材）
６  光源（電球）
７  反射体
７ａ  補助反射板
８  ソケット
９  フレーム
１０  照明器具用レンズ
１１  入射側（光源側）の面
１２  溝
１２ａ  一端（溝の）
１３  縁部
１４  凸条
１５  平坦部
２１  出射側（照明対称部側）の面
２２  突起
２３  縁部
２９  切欠
Ｔ  台形
Ｔｂ  底辺
Ｔｔ  頂辺
Ｔｏ  斜辺
【図１】
2008098068.tif 000003
【図２】
2008098068.tif 000004
【図３】
2008098068.tif 000005
【図４】
2008098068.tif 000006
【図５】
2008098068.tif 000007
【図６】
2008098068.tif 000008
【図７】
2008098068.tif 000009
【図８】
2008098068.tif 000010
【図９】
2008098068.tif 000011
【図１０】
2008098068.tif 000012
【図１１】
2008098068.tif 000013
【図１２】
2008098068.tif 000014
【図１３】
2008098068.tif 000015
【図１４】
2008098068.tif 000016
【図１５】
2008098068.tif 000017